(57)【要約】【課題】防水性能を確保できる筐体及び自動改札機を提供すること。【解決手段】実施形態によれば、筐体は、本体と、カバーと、ヒンジと、フランジと、パッキンとを備える。本体は、一面が開口する箱状である。カバーは、前記開口を覆う。ヒンジは、前記カバーを前記本体に対して回転可能に支持する。フランジは、前記開口に設けられた枠状の壁部、及び、前記壁部に一体に設けられ、前記ヒンジに隣接する一辺が対となる他の一辺に向かって延び、そして、他の三辺がそれぞれ対となる一辺から離間する方向に延びる環状のシール面部を有する。パッキンは、前記カバーに設けられ、前記シール面部と密着する環状である。【選択図】      図２
2019220529.tif 000002
【特許請求の範囲】
【請求項１】
一面が開口する箱状の本体と、
前記開口を覆うカバーと、
前記カバーを前記本体に対して回転可能に支持するヒンジと、
前記開口に設けられた枠状の壁部、及び、前記壁部に一体に設けられ、前記ヒンジに隣接する一辺が対となる他の一辺に向かって延び、そして、他の三辺がそれぞれ対となる一辺から離間する方向に延びる枠状のシール面部を有するフランジと、
前記カバーに設けられ、前記シール面部と密着する環状のパッキンと、
を備える筐体。
【請求項２】
前記フランジは、矩形枠状、四角形枠状、または、多角形枠状に形成され、前記シール面部及び前記パッキンは、前記フランジの形状に沿った形状に形成される、請求項１に記載の筐体。
【請求項３】
少なくとも前記ヒンジに隣接する前記フランジの稜部が曲面状に形成される、請求項１に記載の筐体。
【請求項４】
前記パッキンの前記シール面部と当接する面は曲面状に形成される、請求項１乃至請求項３のいずれか１項に記載の筐体。
【請求項５】
一面が開口する箱状の本体と、
前記開口を覆うカバーと、
前記カバーを前記本体に対して回転可能に支持するヒンジと、
前記開口に設けられた枠状の壁部、及び、前記壁部に一体に設けられ、前記ヒンジに隣接する一辺が対となる他の一辺に向かって延び、そして、他の三辺がそれぞれ対となる一辺から離間する方向に延びる枠状のシール面部を有するフランジと、
前記カバーに設けられ、前記シール面部と密着するパッキンと、
前記本体及び前記カバー内に収容される電装品と、
を備える自動改札機。
【請求項６】
前記電装品は、前記カバーに設けられるカードリーダ・ライタを含む、請求項５に記載の自動改札機。
【発明の詳細な説明】
【技術分野】
【０００１】
本発明の実施形態は、筐体及び自動改札機に関する。
【背景技術】
【０００２】
昨今、ＩＣカードを読み取る自動改札機として、屋外に設置される簡易自動改札機が知られている。このような自動改札機は、筐体の内部に電装品が収容され、筐体に設けられたカバーを開けて電装品のメンテナンスが行われる。このような自動改札機は、屋外に設置された環境下において内部に雨水等が浸入することがないように、防水性能が求められる。
【先行技術文献】
【特許文献】
【０００３】
【特許文献１】特開２００５−２３５０６９号公報
【特許文献２】特開２０１６−１０２２０号公報
【発明の概要】
【発明が解決しようとする課題】
【０００４】
本発明が解決しようとする課題は、防水性能を確保できる筐体及び自動改札機を提供することである。
【課題を解決するための手段】
【０００５】
実施形態によれば、筐体は、本体と、カバーと、ヒンジと、フランジと、パッキンとを備える。本体は、一面が開口する箱状である。カバーは、前記開口を覆う。ヒンジは、前記カバーを前記本体に対して回転可能に支持する。フランジは、前記開口に設けられた枠状の壁部、及び、前記壁部に一体に設けられ、前記ヒンジに隣接する一辺が対となる他の一辺に向かって延び、そして、他の三辺がそれぞれ対となる一辺から離間する方向に延びる環状のシール面部を有する。パッキンは、前記カバーに設けられ、前記シール面部と密着する環状である。
【図面の簡単な説明】
【０００６】
【図１】第１の実施形態に係る自動改札機の構成を示す斜視図。
【図２】同自動改札機の構成を示す斜視図。
【図３】同自動改札機の要部構成を示す断面図。
【図４】同自動改札機の要部構成を示す斜視図。
【図５】同自動改札機の要部構成を示す断面図。
【図６】同自動改札機の要部構成を示す断面図。
【図７】同自動改札機の製造方法の一例を示す流れ図。
【図８】同自動改札機の製造方法の一例を模式的に示す説明図。
【図９】同自動改札機の製造方法の一例を模式的に示す説明図。
【図１０】第２の実施形態に係る自動改札機の要部構成を示す断面図。
【図１１】第３の実施形態に係る自動改札機の要部構成を示す断面図。
【発明を実施するための形態】
【０００７】
以下、第１の実施形態に係る自動改札機１を、図１乃至図９を用いて説明する。図１及び図２は、第１の実施形態に係る自動改札機１の構成を示す斜視図であり、図１はカバー２２が閉位置にあるとき構成を、図２は、カバー２２が開位置にあるときの構成を示す。図３は、カバー２２が開位置における自動改札機１の筐体１１の構成を示す断面図である。図４は、カバー２２が開位置にある筐体１１の構成を示す斜視図である。図５及び図６は、開位置及び閉位置にカバー２２がそれぞれ位置するときの筐体１１の構成を拡大して示す断面図である。図７は、自動改札機１の筐体１１の製造方法の一例を示す流れ図であり、図８及び図９は、図７で示す自動改札機１の筐体１１の製造方法の流れを模式的に示す説明図である。
【０００８】
自動改札機１は、駅の屋外等に設置される、所謂簡易自動改札機である。自動改札機１は、筐体１１と、筐体１１内に設けられた電装品１２と、を備えている。自動改札機１は、非接触型のＩＣカードを読み取り、入場処理や出場処理を行う。
【０００９】
図１及び図２に示すように、筐体１１は、本体２１と、カバー２２と、ヒンジ２３と、パッキン２４と、を備える。本実施形態においては、筐体１１のカバー２２を前方とし、前後方向及び上下方向を規定して以下説明する。筐体１１は、カバー２２が前方に設けられ、例えば、前方が傾斜する矩形箱状に構成される。
【００１０】
図１及び図２に示すように、本体２１は、底壁３１、後壁３２、一対の側壁３３及び天壁３４を有する。本体２１は、前方に開口３５及び開口３５の内周縁に設けられたフランジ３６を有する。このような本体２１は、底壁３１、後壁３２、一対の側壁３３、天壁３４、開口３５及びフランジ３６が一体に構成され、前方が開口３５及びフランジ３６によって開口する矩形箱状に構成される。また、本体２１は、例えば、天壁３４側から底壁３１側に向かって奥行き方向の幅が漸次増加するように、前方が傾斜する。
【００１１】
底壁３１は、例えば、自動改札機１を支持する支柱等に取り付けられる。底壁３１、後壁３２及び天壁３４は、矩形状に構成される。一対の側壁３３は、本体２１の傾斜に併せて前方が傾斜する台形状に構成される。
【００１２】
一対の側壁３３のうち一方の側壁３３は、ヒンジ２３を介してカバー２２を回転可能に保持する。開口３５は、矩形状に開口する。開口３５は、筐体１１内に電装品１２を収容し、且つ、メンテナンスが可能な開口面積に設定される。例えば、開口３５は、本体２１の前面側を構成する矩形状の縁部３５ａを含み、そして、本体２１の縁部３５ａを除く前方領域の略全ての範囲で開口する。縁部３５ａは、底壁３１、一対の側壁３３及び天壁３４と連続する矩形枠状に形成される。
【００１３】
図２に示すように、フランジ３６は、矩形枠状に構成される。具体的には、フランジ３６は、開口３５の縁部３５ａから延設される矩形枠状の壁部３６ａと、壁部３６ａの端部に設けられ、壁部３６ａの延設方向に対して直交する方向に延びる矩形枠状のシール面部３６ｂと、を有する。
【００１４】
図２に示すように、シール面部３６ｂは、例えば、矩形枠状であって、四隅が湾曲して形成される。即ち、矩形枠状のシール面部３６ｂは、例えば、四隅の少なくとも一部が、正面視で所定の曲率半径に湾曲する。また、シール面部３６ｂは、ヒンジ２３と隣接する一辺が、左右方向で対となる一辺に向かって壁部３６ａから延びるとともに、他の三辺が、それぞれ左右方向又は上下方向で対となる一辺に向かって壁部３６ａから延びる。
【００１５】
換言すると、シール面部３６ｂは、ヒンジ２３が設けられる一方の側壁３３に隣接する壁部３６ａに設けられる部位３６ｂ１が開口３５内に向かって延び、そして、底壁３１、他方の側壁３３及び天壁３４に隣接する壁部３６ａに設けられる部位３６ｂ２が開口３５外に向かって延びる。また、シール面部３６ｂは、ヒンジ２３が設けられる一方の側壁３３に隣接する部位３６ｂ１の幅が他の部位３６ｂ２の幅よりも若干小さく構成される。
【００１６】
また、少なくともフランジ３６のヒンジ２３が設けられる一方の側壁３３側の壁部３６ａ及びシール面部３６ｂ（部位３６ｂ１）の稜部は、所定の曲率半径を有する曲面に構成される。即ち、ヒンジ２３が設けられる一方の側壁３３に隣接するフランジ３６の稜部は、曲面の面取り部を有する。なお、フランジ３６は、曲げ加工等によって成形されるとともに、溶接及び研磨により加工されることで構成される。このため、例えば、フランジ３６は、全ての稜部に所定の曲率半径の面取り部を有する。
【００１７】
図１及び図２に示すように、カバー２２は、矩形状に形成されるとともに、外周縁が主面に対して直交する方向に延びる。カバー２２は、内面に、フランジ３６のシール面部３６ｂと対向する範囲にパッキン２４を取り付ける取付部２２ａを有する。取付部２２ａは、例えば、カバー２２の内周面に取り付けられる。
【００１８】
図３及び図４に示すように、ヒンジ２３は、一端が一方の側壁３３の内面に固定され、他端がカバー２２に固定される。ヒンジ２３の回転中心は、側壁３３側に配置される。ヒンジ２３は、カバー２２が本体２１に当接する閉位置及び所定の角度、例えば、９０度程度回転した開位置の間でカバー２２を回転可能に支持する。例えば、ヒンジ２３は、一方の側壁３３に重力方向で二箇所に設けられる。
【００１９】
図２に示すように、パッキン２４は、シール面部３６ｂの形状に沿った環状に構成される。例えば、本実施形態においては、シール面部３６ｂは、矩形枠状に構成されていることから、パッキン２４は、矩形環状に構成される。パッキン２４は、例えば両面テープにより、取付部２２ａに取り付けられる。パッキン２４の取付部２２ａに取り付けられる面は、平面状に構成される。また、パッキン２４のシール面部３６ｂと当接する面は、曲面状に形成される。具体例として、パッキン２４は、断面が半円状に構成される。パッキン２４は、ゴム等の樹脂材料により成形される。
【００２０】
図２に示すように、電装品１２は、例えば、カードリーダ・ライタ１２ａ、基板、記憶媒体、制御部等が設けられる。また、カードリーダ・ライタ１２ａは、カバー２２に配置され、本体２１側に設けられた基板等とケーブル１２ｂ等によって電気的に接続される。
【００２１】
次に、このように構成された自動改札機１の筐体１１の製造方法について、図７乃至図９を用いて説明する。  
先ず、図７及び図８のＳＴ１に示すように、先ず、金属板を箱状に曲げ加工し、底壁３１、後壁３２、一対の側壁３３、天壁３４、縁部３５ａ及び壁部３６ａを成形する第１成形を行う。このとき、壁部３６ａを、側面視でシール面部３６ｂの幅だけ高い矩形状で、前面視で開口３５の開口形状を構成する矩形枠状に成形する。
【００２２】
即ち、第１成形後において、壁部３６ａは、シール面部３６ｂを構成する曲げ代を有する。また、壁部３６ａは、長方形の枠状に構成され、長辺を構成する一対の壁３６ａ１の間の長さと、短辺を構成する一対の壁３６ａ２の長手方向の長さとが同じに構成される。
【００２３】
次に、図７及び図８のステップＳＴ２に示すように、壁部３６ａを曲げ加工し、シール面部３６ｂを構成する一対の第１曲げ部３６ａ３及び一対の第２曲げ部３６ａ４を成形する第２成形を行う。このとき、ヒンジ２３が固定される一方の側壁３３側の壁３６ａ１を、他方の側の壁３６ａ１に向かって折り曲げて第１曲げ部３６ａ３を成形し、そして、他方の壁３６ａ１及び一対の壁３６ａ２を、対となる壁３６ａ１、３６ａ２と反対方向へ折り曲げて第１曲げ部３６ａ３及び一対の第２曲げ部３６ａ４を成形する。
【００２４】
これにより、一対の第１曲げ部３６ａ３は、同方向に向かって延び、そして、一対の第２曲げ部３６ａ４は、互いに離間するように、相反する方向に延びる。これにより、図８のステップＳＴ２に示すように、一方の側壁３３側の第１曲げ部３６ａ３と一対の第２曲げ部３６ａ４は、連続するコの字状に配置される。また、他方の側壁３３側の第１曲げ部３６ａ３と一対の第２曲げ部３６ａ４は、離間して配置される。
【００２５】
次に、図９のステップＳＴ３に示すように、溶接装置１１０により連続する第１曲げ部３６ａ３と一対の第２曲げ部３６ａ４の間を溶接する。また、図９のステップＳＴ３に示すように、他方の側壁３３側の第１曲げ部３６ａ３と一対の第２曲げ部３６ａ４とを連続する小片３６ｃを配置し、溶接装置１１０により、小片３６ｃと他方の側壁３３側の第１曲げ部３６ａ３と一対の第２曲げ部３６ａ４とを溶接する。
【００２６】
次に、図９のステップＳＴ４に示すように、研磨装置１２０により、ステップＳＴ３で生じた溶接部１３０を研磨し、表面粗さを所定の表面粗さとする。この工程により、一対の第１曲げ部３６ａ３及び一対の第２曲げ部３６ａ４が矩形枠状に一体に形成されたシール面部３６ｂが形成される。これらの工程により、筐体１１が成形される。
【００２７】
このように構成された筐体１１を有する自動改札機１によれば、カバー２２が図５に示す開位置から図６に示す閉位置までヒンジ２３の回転中心周りに回転すると、閉位置において、パッキン２４がシール面部３６ｂに当接する。このとき、パッキン２４は、図５に二点鎖線で示す軌跡のように、カバー２２が閉位置となる直前にてシール面部３６ｂに当接し、図６に示すように、そしてカバー２２が閉位置へ移動し、シール面部３６ｂに密着する。これにより、筐体１１は、本体２１及びカバー２２がパッキン２４によって密封されることから、高い防水性能を有する。
【００２８】
また、フランジ３６のヒンジ２３が設けられた側壁３３側のシール面部３６ｂは、壁部３６ａから開口３５内へ向かって延びる。このため、カバー２２が開位置にあるときに、パッキン２４とシール面部３６ｂとの距離を極力大きくすることができる。即ち、カバー２２の回転時におけるパッキン２４の移動軌跡上からフランジ３６を逃がすことができる。これにより、カバー２２の開閉動作中に、パッキン２４がフランジ３６と干渉することを極力防止できる。換言すると、パッキン２４がフランジ３６によって回転方向と相反する方向に押圧されることを極力防止できる。
【００２９】
また、パッキン２４の形状を断面が半円状とし、フランジ３６の角部に曲面状の面取り部を設けることで、パッキン２４とフランジ３６とが当接することを極力防止できる。また、パッキン２４及びフランジ３６が当接する形状が曲面形状であることから、パッキン２４及びフランジ３６が当接したときに、カバー２２の回転方向に沿った力が分解される。
【００３０】
即ち、パッキン２４とフランジ３６との当接する面が曲面で構成されることから、パッキン２４とフランジ３６とが当接したときに、フランジ３６は、パッキン２４の移動軌跡の曲率中心から外方に向かう径方向でパッキン２４を押圧する。このため、パッキン２４は同径方向に弾性変形し、フランジ３６と干渉することが低減される。このため、パッキン２４がフランジ３６に当接したときにパッキン２４に加わるカバー２２の回転方向の力を低減することできる。
【００３１】
さらに、フランジ３６の角部に面取り部が設けられることから、本体２１を金属材料で形成した場合であっても、フランジ３６がパッキン２４を損傷させることを防止できる。
【００３２】
これらの構成により、筐体１１は、カバー２２の開閉時に、パッキン２４がフランジ３６から押圧されることを防止できることから、フランジ３６によってパッキン２４が取付部２２ａから脱離することや、パッキン２４が損傷することを極力防止できる。このように、パッキン２４の寿命を向上できることから、筐体１１及び自動改札機１の防水性能を確保することができる。
【００３３】
また、フランジ３６のシール面部３６ｂの一部を開口３５の内方へ折り曲げて、その後溶接することから、一方の第１曲げ部３６ａ３及び一対の第２曲げ部３６ａ４を直接溶接できる。結果、小片３６ｃを用いる箇所を低減できることから、小片３６ｃのコスト、小片３６ｃを配置する工程及び溶接個所を低減することができる。結果、溶接工程における製造コストを低減することができる。
【００３４】
また、溶接後に行う研磨においても、溶接個所が低減できることから、研磨工程及び研磨を行う範囲を低減でき、研磨工程における製造コストを低減することができる。これらのことから、筐体１１の製造コストを低減することができる。
【００３５】
また、自動改札機１は、ＩＣカードを処理するカバー２２にカードリーダ・ライタ１２ａを設けることから、基板等の電装品１２の他の構成とケーブル１２ｂ等を介して接続される。このため、カバー２２の開閉動作において、ケーブル１２ｂも移動することになる。しかしながら、筐体１１は、カバー２２とフランジ３６との距離を極力開けることができることから、ケーブル１２ｂ等をカバー２２及びフランジ３６間に挟み込むことを防止できる。
【００３６】
加えて、フランジ３６は、開口３５の開口中心に向かって延びるシール面部３６ｂの部位３６ｂ１の幅が他の部位３６ｂ１、部位３６ｂ２よりも狭い。この構成により、パッキン２４及びシール面部３６ｂ間にケーブル１２ｂが挟み込まれることを防止できるとともに、フランジ３６の開口面積が、開口３５の開口面積よりも部位３６ｂ１によって低減することを極力防止できる。
【００３７】
上述したように本実施形態に係る筐体１１を有する自動改札機１によれば、防水性能を確保できる。
【００３８】
なお、実施形態は上記の構成に限定されない。例えば、上述した例では、フランジ３６は、シール面部３６ｂを矩形枠状とし、外面側の４つの角部が湾曲する形状を説明したが、これに限定されない。フランジ３６は、シール面部３６ｂの角部を、直角状のままとしてもよく、また、フランジ３６の長手方向の辺に傾斜する形状に角を除去する形状としてもよい。すなわち、フランジ３６は、少なくともシール面部３６ｂが互いに対向する辺とこれらの辺に直交する辺により矩形枠状に構成されていれば、４つの角部の形状は限定されない。
【００３９】
また、パッキン２４との干渉を極力抑制でき、且つ、パッキン２４と当接することで防水性能を確保できるとともに、本体２１内に電装品１２の一部を配置可能な開口を構成できれば、フランジ３６の形状は、矩形枠状以外の形状であってもよい。例えば、矩形枠状以外のフランジ３６の形状として、他の四角形枠状、例えば、台形枠状、平行四辺形枠状であってもよく、また、矩形以外の多角形枠状であってもよい。また、フランジ３６の形状は、例えば長手の一対の辺が平行な直線状であり、そして、短手の一対の辺が所定の曲率半径で湾曲する枠状であってもよい。なお、フランジ３６を矩形枠状以外の形状とした場合には、パッキン２４は、シール面部３６ｂの形状に沿った環状の形状とすればよい。
【００４０】
また、フランジ３６は、シール面部３６ｂが壁部３６ａに対して直交する方向に延びる構成を説明したがこれに限定されない。例えば、図１０に示す第２の実施形態に係る本体２１のフランジ３６Ａのように、フランジ３６Ａの少なくともヒンジ２３が設けられる側壁３３側の形状を断面形状が所定の曲率半径で湾曲する枠状に構成してもよい。
【００４１】
このような構成のフランジ３６Ａは、カバー２２の開閉時におけるパッキン２４の先端の軌跡上から極力退避するとともに、曲面がパッキン２４と当接するシール面部を構成する。これにより、上述したフランジ３６と同様に、カバー２２の開閉時に、パッキン２４とフランジ３６Ａが干渉することを防止できるとともに、フランジ３６Ａがパッキン２４と当接したときに生じる力を分解することができる。
【００４２】
同様に、図１１に示す第３の実施形態に係る本体２１のフランジ３６Ｂのように、フランジ３６Ｂの角部に、平面上の面取り部３６ｄを設ける構成としてもよい。このような構成のフランジ３６Ｂは、上述したフランジ３６、３６Ａと同様の効果を生じる。
【００４３】
また、上述した例では、パッキン２４のフランジ３６と当接する表面形状を湾曲状とする構成を説明したがこれに限定されず、適宜設定可能である。例えば、パッキン２４は、断面が矩形状であってもよく、また、稜部が平面で傾斜する面取りがなされた形状であってもよい。但し、パッキン２４は、フランジ３６との干渉を低減できる形状であることが好ましい。
【００４４】
また、上述した例では、筐体１１は自動改札機１に用いられる構成を説明したが、防水性能が求められ、そして、カバー２２が本体２１に対して一軸回りに回転する他の装置に用いることもできる。また、上述した例では、本体２１は、一方の側壁３３にヒンジ２３が設けられる構成を説明したがこれに限定されない。例えば、ヒンジ２３は、底壁３１に設けられていてもよく、また、天壁３４に設けられていてもよい。即ち、ヒンジ２３側壁３３が設けられる側のフランジ３６のパッキン２４と当接する部位を本体２１の中心側へ逃がす構成であればよい。
【００４５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４６】
１…自動改札機、１１…筐体、１２…電装品、１２ａ…カードリーダ・ライタ、１２ｂ…ケーブル、２１…本体、２２…カバー、２２ａ…取付部、２３…ヒンジ、２４…パッキン、３１…底壁、３２…後壁、３３…側壁、３４…天壁、３５…開口、３５ａ…縁部、３６…フランジ、３６ａ…壁部、３６Ａ…フランジ、３６ａ１…壁、３６ａ２…壁、３６ａ３…第１曲げ部、３６ａ４…第２曲げ部、３６ｂ…シール面部、３６Ｂ…フランジ、３６ｂ１…部位、３６ｂ２…部位、３６ｃ…小片、３６ｄ…面取り部、１１０…溶接装置、１２０…研磨装置、１３０…溶接部。
【図１】
2019220529.tif 000003
【図２】
2019220529.tif 000004
【図３】
2019220529.tif 000005
【図４】
2019220529.tif 000006
【図５】
2019220529.tif 000007
【図６】
2019220529.tif 000008
【図７】
2019220529.tif 000009
【図８】
2019220529.tif 000010
【図９】
2019220529.tif 000011
【図１０】
2019220529.tif 000012
【図１１】
2019220529.tif 000013